(57)【要約】【課題】特定コンピューターＩＰアドレスを検索する方法を提供する。【解決手段】１つのウェブサイト、電子メールサーバーまたはボイスコミュニケーションシステム等に用い「電話番号および識別番号」をドメインネームおよび/または電子メールアドレスに関連付ける方法であって、ユーザーが「電話番号および識別番号」を入力した後、データベース検索を実行され該番号と関連付けされたドメインネームまたは該番号と関連付けされたボイスコミュニケーションＩＰアドレスを照合し、照合後に適合するものがある時、ウェブサイトである場合にユーザーがドメインネームと関連し対応するウェブサイトに導かれ、電子メールである場合に電子メールが対応する電子メールアドレスに導かれ、ボイスコミュニケーションである場合にボイスコミュニケーションの要求がコミュニケーションシステムが対応するＩＰアドレスに導く。【選択図】  図１
2007535880.tif 000002
【特許請求の範囲】
【請求項１】
電話番号および識別番号を利用しインターネット上の特定コンピューターＩＰアドレスを検索する方法であって、そのステップは、ユーザーが「電話番号および識別番号」を入力し、１つの検索プログラムを利用しデータベース内の「電話番号および識別番号」を検索し適合を求めて照合を行い、照合が適合を得られた場合に前記「電話番号および識別番号」と関連し対応する１つのＩＰアドレスを得ることを含むものである電話番号および識別番号を利用しインターネット上の特定コンピューターＩＰアドレスを検索する方法。
【請求項２】
電話番号および識別番号を利用しインターネット上の特定コンピューターＩＰアドレスを検索する方法であって、そのステップは、１組の「電話番号および識別番号」または「携帯電話番号および識別番号」を入力し、関連するデータベース内で「電話番号および識別番号」のデータを検索し前記「電話番号または携帯電話番号および識別番号」の適合を検索し、照合が適合を得られた場合に前記「電話番号または携帯電話番号および識別番号」と関連し対応する１つのＩＰアドレスを得ることを含むものである電話番号および識別番号を利用しインターネット上の特定コンピューターＩＰアドレスを検索する方法。
【請求項３】
前記データベース内に保存したＩＰアドレスが、特定ウェブサイトサーバーのＩＰアドレスである請求項１記載のインターネット上の特定コンピューターＩＰアドレスを検索する方法。
【請求項４】
前記データベース内に保存した特定コンピューターＩＰアドレスが、電子メールサーバーのＩＰアドレスである請求項１記載のインターネット上の特定コンピューターＩＰアドレスを検索する方法。
【請求項５】
前記データベース内に保存した特定コンピューターＩＰアドレスが、ボイスコミュニケーションシステムのＩＰアドレスである請求項１記載のインターネット上の特定コンピューターＩＰアドレスを検索する方法。
【請求項６】
前記「電話番号および識別番号」が、「国番号＋地域番号＋現地電話番号＋識別番号」または「国番号＋携帯電話番号＋識別番号」である請求項１記載のインターネット上の特定コンピューターＩＰアドレスを検索する方法。
【請求項７】
前記識別番号が、コンピューターキーボード上の文字、数字、および/または符号またはこれら文字、数字、および/または符号のうち、いずれか２つ以上の組み合わせにより組成されるものを含むものである請求項１記載のインターネット上の特定コンピューターＩＰアドレスを検索する方法。
【請求項８】
前記検索プログラムを利用しデータベースを検索するステップが、インターネットまたはワールドワイドウェブ上に接続する多くのサーバー内に設置されるデータベースを検索することを含み、各データベースの内部には、いずれも各別のサーバー相互に関連し対応する各特定コンピューターＩＰアドレスおよび前記各特定コンピューターＩＰアドレスに対応する「電話番号および識別番号」データを登録し保存してなることを特徴とする請求項１記載のインターネット上の特定コンピューターＩＰアドレスを検索する方法。
【請求項９】
前記検索プログラムが、ワールドワイドウェブまたはインターネット上に連接するいずれか１つのウェブサイトサーバーのいずれか１つのデータベースを検索することができるように設定されるものである請求項１記載のインターネット上の特定コンピューターＩＰアドレスを検索する方法。
【請求項１０】
前記特定ウェブサイトサーバーのＩＰアドレスが、前記ウェブサイトサーバーに関連し対応する各特定ドメインネームとＩＰアドレスを含むものであり、対応する「電話番号および識別番号」を有する請求項１記載のインターネット上の特定コンピューターＩＰアドレスを検索する方法。
【請求項１１】
電話番号および識別番号を利用しインターネット上の特定コンピューターＩＰアドレスを検索する方法であって、そのステップは、発信者のコンピューター内にインストールされる電子メールソフトウェアを提供し、前記ソフトウェア内に「電話番号および識別番号」を入力させる入力フィールドを設け、発信者のコンピューター内には電子メール発信者Ｓにより「国番号＋地域番号＋現地電話番号＋識別番号」がその中にキー入力された後、自動実行されるプログラムがインストールされ、ワールドワイドウェブ（ＷＷＷ）またはインターネット（internet）上に接続するウェブサイトデータベースサーバーのデータベースに保存された「電話番号および識別番号」と照合を実行し前記入力した「電話番号および識別番号」と適合を検索し、前記データベースサーバーが、各特定コンピューターＩＰアドレスおよび前記特定コンピューターＩＰアドレスに対応する「電話番号および識別番号」を登録ならびに保存してなり、照合が適合を得られた場合、前記電子メールを前記「電話番号および識別番号」を入力した者と関連し対応する１つのＩＰアドレスに発送することを含むものである電話番号および識別番号を利用しインターネット上の特定コンピューターＩＰアドレスを検索する方法。
【請求項１２】
前記データベース内に保存される特定コンピューターＩＰアドレスが、特定電子メールサーバーのＩＰアドレスである請求項１１記載のインターネット上の特定コンピューターＩＰアドレスを検索する方法。
【請求項１３】
前記電子メールソフトウェア中の「電話番号および識別番号」が、「国番号＋地域番号＋現地電話番号＋識別番号」または「国番号＋携帯電話番号＋識別番号」である請求項１１記載のインターネット上の特定コンピューターＩＰアドレスを検索する方法。
【請求項１４】
前記識別番号が、コンピューターキーボード上の文字、数字、および/または符号またはこれら文字、数字、および/または符号のうち、いずれか２つ以上の組み合わせにより組成されるものを含むものである請求項１１記載のインターネット上の特定コンピューターＩＰアドレスを検索する方法。
【請求項１５】
前記データベースサーバーが、その他のワールドワイドウェブまたはインターネット上に接続する多くのサーバーを含み、各サーバーの内部には、各特定コンピューターＩＰアドレス、ならびに前記各特定コンピューターＩＰアドレスに対応する「電話番号および識別番号」のデータが登録され保存されてなることを特徴とする請求項１１記載のインターネット上の特定コンピューターＩＰアドレスを検索する方法。
【請求項１６】
前記検索プログラムが、ワールドワイドウェブまたはインターネット上に接続するウェブサイトのデータベースサーバー以外のサーバーを検索することができるものである請求項１１記載のインターネット上の特定コンピューターＩＰアドレスを検索する方法。
【請求項１７】
電話番号および識別番号を利用しインターネット上の特定コンピューターＩＰアドレスを検索する方法であって、そのステップは、発話者のコンピューター内にインストールされるボイスコミュニケーションソフトウェアを提供し、前記ソフトウェア内に「電話番号および識別番号」を入力させる入力フィールドを設け；発話者のコンピューター内には、発話者により「国番号＋地域番号＋現地電話番号＋識別番号」がその中にキー入力された後、自動実行されるプログラムがインストールされ、ワールドワイドウェブまたはインターネット上に接続するウェブサイトデータベースサーバーのデータベースに保存された「電話番号および識別番号」と照合を実行し前記入力した「電話番号および識別番号」と適合を検索し；前記データベースサーバーが、各特定コンピューターＩＰアドレスおよび前記特定コンピューターＩＰアドレスに対応する「電話番号および識別番号」を登録ならびに保存してなり、照合が適合を得られた場合に前記ボイスコミュニケーションを前記「電話番号および識別番号」を入力した者と関連し対応する１つのＩＰアドレスに発送することを含むものである電話番号および識別番号を利用しインターネット上の特定コンピューターＩＰアドレスを検索する方法。
【請求項１８】
前記データベース内に保存される特定コンピューターＩＰアドレスが、特定ボイスコミュニケーションシステムのＩＰアドレスである請求項１１記載のインターネット上の特定コンピューターＩＰアドレスを検索する方法。
【請求項１９】
前記コミュニケーションソフトウェア中の「電話番号および識別番号」が、「国番号＋地域番号＋現地電話番号＋識別番号」または「国番号＋携帯電話番号＋識別番号」である請求項１７記載のインターネット上の特定コンピューターＩＰアドレスを検索する方法。
【請求項２０】
前記識別番号が、コンピューターキーボード上の文字、数字、および/または符号またはこれら文字、数字、および/または符号のうち、いずれか２つ以上の組み合わせにより組成されるものを含むものである請求項１７記載のインターネット上の特定コンピューターＩＰアドレスを検索する方法。
【請求項２１】
前記データベースサーバーが、その他のワールドワイドウェブまたはインターネット上に接続する多くのサーバーを含み、各サーバーの内部には、各特定コンピューターＩＰアドレス、ならびに前記各特定コンピューターＩＰアドレスに対応する「電話番号および識別番号」のデータが登録され保存されてなることを特徴とする請求項１１記載のインターネット上の特定コンピューターＩＰアドレスを検索する方法。
【請求項２２】
前記検索プログラムが、ワールドワイドウェブまたはインターネット上に接続するウェブサイトのデータベースサーバー以外のサーバーを検索することができるものである請求項１１記載のインターネット上の特定コンピューターＩＰアドレスを検索する方法。
【発明の詳細な説明】
【技術分野】
【０００１】
本発明は、「数個の特定電話番号を順に組み合わせてなる数字配列に識別番号を加えワールドワイドウェブ特定コンピューターＩＰアドレスを検索する方法」を提供するものであり、「識別番号」を知らせる対象の数量により、そのウェブサイトの観覧を許可する人の選択、管理を達成し、電話番号によりドメインネームに置き換える長所を保有する以外に、関係のないインターネットユーザーからの不当な攻撃によりそのウェブサイトに破裂、または機能停止が発生することを阻止することができるものである。
【背景技術】
【０００２】
周知のとおり、インターネット(Internet)およびワールドワイドウェブ( World Wide Web(ＷＷＷ))は、既に現代人の生活および仕事において、欠かすことのできない一環となり、大凡で全世界のインターネット人口は既に２０億人を超え、絶え間なく増加する中、更に21世紀は正にインターネットの世紀であることが実証され、多くの従来の生活の中の機能は、既に徐々にインターネットに取って代わられ、または、使用上のもう１つの選択項目に加えられ、そのうち、最も広く普及し使用される項目は、各形態のインターネットのブラウジングおよびその情報の伝達、電子メール(E-mail)の文字と図面の情報伝送、及びオンラインボイスコミュニケーションの相互のやり取り（俗称インターネット電話）を含み、特に、インターネットブロードバンド（band）の使用が絶え間なく増加し、インターネットの使用費用が絶え間なく低下する二重の有利な条件の下、インターネット電話を利用する人口も絶え間なく増加し、将来、従来の電話通信を使用する人口を超えることは極めて有り得ることであるが、日増しに増加するウェブサイトの閲覧回数と電子メールの伝送量の大量流通およびインターネット電話の最盛に直面し、対応して多くの問題が発生しており、その問題点を以下に説明する。
【０００３】
Ａ.ウェブサイトに関して言えば：
１．多くの比較的大きいとされる企業または会社は、その専属ウェブサイトを開設した後、前記専属ウェブサイトにより、下請けの衛星メーカーに整合し、効率的な大量生産計画を達成する。これらのＢ-ｔｏ-Ｂ（ビジネス対ビジネス）ウェブサイトは、一般大衆に開放し閲覧させるものではなく、特定の関係者または会社企業に相互間に生産的商業利益プラットホームを形成させるものであるが、“インターネットハッカー”が横行する状況の下、しばしば訳もなく攻撃の対象となり、そのウェブサイトは、麻痺するまで破壊されるという状況を折々耳にする。従って、その周辺に関連するメーカーまたは中小工場が正常にそのウェブサイトを閲覧（click）することができず、相互間の正常な生産秩序に影響を及ぼし、見積もることができないほどの損失を発生させ、更にそのウェブサイトの既存機能の実行が阻害され手遅れとなる；これらの状況の発生を防止または阻止するために、巨額の資金を投じてウェブサイトファイヤーウォールの反制御メカニズムを作らなければならず、不必要且つ想定外に支出しなければならないソフトウェアコストが増加し、言語に絶する苦しさである。
【０００４】
２．学術系または教育系および特定機能を持ったコミュニティ等のような特定ウェブサイトは、同様に特定の関係者だけに閲覧を開放するウェブサイトを提供し、相互に学術交流する知的プラットホームとしてなり、一般大衆が自由に進入しブラウズすることはできなくなっているが、前記ＢｔｏＢウェブサイトのような欠陥が発生し、不定期に予期できない程度の異なる損失を持続させ、学術的交流を激しく妨害し、ウェブサイトの良性でプラス面の発展を阻害する。
【０００５】
３．ワールドワイドウェブ（World  wide  web）が盛んになった後、全世界各地に既に設置架設されたウェブサイト（Web  site）は、控えめに見積もっても既に２５００万個以上になり（個人ウェブサイトおよび各種法人組織のウェブサイトを含む）、現在も絶え間ない増加を続けている。ドメインネームは1組のホストコンピューター中のＩＰアドレス（Internet  Protocol）を表示することに用いる文字符号であり、前記ＩＰアドレスは、４組の十進数（0〜255）を組み合わせてなる配列組み合わせであり、例えば、Yahoo！KimoのＩＰアドレスはhttp://202.1.237.21であり、明らかに非常に記憶し難く、そのドメインネーム（Domain Name）を用いるように改めた後は、容易に記憶できるようになり、特定のドメインネームがただ１つであることができることにより、全世界のドメインネームシステムを主管する機構「アイキャン」ＩＣＡＮＮ（The Internet Corporation for Assigned Names and Numbers）は、1985年に起用された7個（.com＆.org＆.net＆.gov＆.int＆.mil＆.edu）の普通の上層ドメインネームｇＴＬＤ（generic Top Level Domains）の外、更に.aero（航空類）、.biz（商業類）、.coop（会社名）、.pro（会計士、弁護士、医師等の専門職員）、.info（用途制限無し）、.name（個人用途）、.museum（博物館）等があるが、ドメインネームが複雑化した紛糾および多くの欠陥は、現在でも増加の一途をたどり、その要因は以下のようである：
【０００６】
（１）特定のドメインネームがワールドワイドウェブ上でただ１つ有り、唯一であることにより、前記同一ドメインネームを使用したい者が数人または複数の法人事業有る可能性があり、ドメインネームの取得は「先着順（first come，first served）」の登録原則を採用し、登録の申請時に如何なる実質的審査も経過されず、自分が気に入ったドメインネームを登録申請することができ、登録が完了後、前記特定のドメインネームは、絶対的排他性を有し、以後、他者が申請人と完全に異なる業界であっても、同一のドメインネームをもう１つ申請することができない；また、一般の会社企業に対して言えば、皆が知っているドメインネームは、消費者の訪問を先導することができるインターネットアドレスであるだけではなく、ビジネスチャンスを創造するものであり、更に重要なことは、この１つのドメインネームは、同時にその企業が提供するサービスを表すことができ、自身の企業イメージを作り出し、特に、イーコマース（Ｅ-commerce）が盛んな時代では、簡単、独特、記憶し易く、インパクトがあり、更には自己の会社名称と同一または類似したドメインネームを有することが消費者を引き付ける無二の方法であり、１つの某有名企業の名称と近似したドメインネームは一角千金の可能性があることにより、先を争って有名企業の名称、商標または人名を含むドメインネームを登録し、前記ドメインネームを使用したい会社または人に転売し、その悪行の最終目的を達成する「サイバースクワッター」（cyber-squatter）を作り出している。
【０００７】
（２）一般のワールドワイドウェブ使用者に対して言えば、最も困ることは、多くの特定ドメインネームを暗唱し記憶しなければならないことであるので、大多数の記憶し難いドメインネームは、通常、個人のメモに迅速に記録をするか、または個人のコンピューター（ＰＣ）内の専属データファイル内に保存することで、ようやく忘れて観覧したい特定ウェブサイトに進入することができない状況を避けることができる；また、イーコマース中Ｂ２Ｂの運営方式は極めて普遍であり、ビジネスマンにとっては、時間が効率であり、通常において特定ウェブサイト（自社所属の下請けメーカーのウェブサイトを含む）の目的は、迅速に進入に成功することにあり、退屈しのぎの急を要さない娯楽のインターネット観覧には属さず、顧客の会社名だけを覚えていて、その会社のウェブサイトのドメインネームを覚えることができないことがしばしばあり、大多数の人の習慣に対して言えば、会社名を覚えることは比較的容易であるが、長い文字符号の会社のドメインネームを覚えることは困難であり、同様に、個人の名前を覚えることは容易であるが、個人のウェイサイトのドメインネームを覚えることは困難である。
【０００８】
上記の「サイバースクワッター」および「ドメインネームが記憶し難い」という２つの欠陥の解決方法について、本発明人は、それぞれ2001年12月31日に台湾特許出願第90133516号「数個の特定電話番号配列組み合わせがなす数列により特定ドメインネームを検索する方法」及び2002年1月4日に台湾特許出願第91100638号「数個の特定電話番号配列組み合わせがなす数列により特定ドメインネームを検索する方法2」等を提出し、両案中に既に詳細な説明があり、そのうち、前記第90133516号は既に中華民国特許第192971号公告公報として公告され、前記第91100638号も既に中華民国特許第569132号公告公報といて公告されており、その解決する方式は、個人または会社専属の現地電話番号とその所属する国家の電話国番号、およびその所属する都市地域の電話番号等３つの電話番号から、“国番号＋地域番号＋現地電話番号”が特定する配列パターンに基づき、組み合わせてなる数列を加え、個人または会社の所属ウェブサイトの特定ドメインネームを合わせて、前記電話番号の数列および前記特定ドメインネームを同時にワールドワイドウェブ中のいずれか１つのサーバー内のデータベースに登録し保存する；任意のインターネットユーザーが特定ウェブサイト内の検索インターフェイスダイナミックウェブページ上に設置される入力フィールド内を経由して、前記個人または会社の「国番号-地域番号-現地電話番号」数列を入力した後、前記特定ウェブサイトサーバー内の検索プログラムにより、前記ウェブサイトサーバーのデータベースに進入するか、またはワールドワイドウェブ上のいずれか１つのウェブサイトのウェブサイトサーバーのデータベース内に連結し、照合を実行し前記数列が対応する特定ドメインネームを得ることができ、即座に個人または会社が所属する特定ドメインネームのウェブサイトにアクティブリンクし、迅速で正確な前記特定ドメインネームのウェブサイトの観覧を達成する；本発明人は発明特許出願を提出した後、前記方法に基づき、「www.2umail.com」ウェブサイトを設立し、実際に現在に至るまで運営を行うことができ、予測される機能を完全に達成し、その長所は以下のようである。
【０００９】
１．個人または会社の電話番号は、電信単位を経由して分配取得され、各国の国別番号および区域番号を加えた後、全世界の単一の専属性を有し、他者が再度重複取得できない外、更に特定ドメインネームのように他者により先を争って登録されるような現象が発生せず、「サイバースクワッター」が横行する卑劣な行為の発生を根絶やしにすることができる。
【００１０】
２．一般に記憶暗誦し難いドメインネームを、記憶し易くどこでも得ることができる電話番号に変えることで、特定ドメインネームのウェブサイトをキーワード検索させ、現有の電話番号取得機制の完備を利用し、インターネットユーザーが更に時間を費やし冗長なドメインネームを記憶暗誦する必要が無く、いつでもどこでも直接現地の電話帳、電話番号案内またはインターネット中の電話番号検索機能を設けて電話暗号検索ウェブサイトを利用し、容易に電話番号を知ることができ、即座に観覧したいウェブサイトに進入することができ、インターネットユーザーに対してブラウジングの難易度を大幅に低減し、個人または会社のウェブサイトの観覧回数を向上させる。
【００１１】
Ｂ.電子メール（E-mail）に関して言えば：
周知のとおり、ワールドワイドウェブを使用し電子メールを送受信する人は、全てＩＳＰ業者にその専属する電子メールアドレス（E-mail address）を申請する必要があり、前記電子メールアドレスは、実際にそのワールドワイドウェブのメールサーバーのＩＰアドレスを表すことを先に明記する。
【００１２】
経歴不明の電子メールは、即ち“迷惑メール”であり、同一の出所から故意に一度に多数の電子メールボックスに配布される情報を指し、現在、業界でメール受信者が受信する電子メールの約４０％〜８０％が“迷惑メール”に属し、絶え間なく増加する迷惑メールの流量は既に企業の正常運営に激しく影響を及ぼし、“迷惑メール”は人に嫌悪感を与えるだけではなく、同時に生産力を低下させ想定外の処理コストを増加させるので、迷惑メールの横行を如何に防止するかは、人々が緊急に解決したい課題となっている。但し、迷惑メールを解決する前に、迷惑メールを発信する人を解散させる必要があり、如何にして個人の電子メールボックスアドレスを知り得るのかは、およそ以下の数種類の方式を導き出すことができる。
【００１３】
１．転送メール：
インターネットユーザーが電子メールを転送する時、「ブラインドカーボンコピー」を使用していないか、または前回の送信情報をクリアしていない、このような状況はインターネット風説、図面、情報、プログラム等を転送する時にしばしば出現し、一部の悪意を持った人に、機会を与え、これは、現在メール情報を収集する最も良く見られる方式である。
【００１４】
２．ウェブサイトにより提供される：
ウェブサイト上でしばしば無料会員に登録した場合に、無料会員番号が、良く迷惑メールを受信することも、電子メールサービス提供者が生存するために、利益を得るため顧客データベースを売り始めるか、または会社内部の人員が権利を悪用し、会社に背いてデータベースを売ることがあり、当然インターネットのセキュリティ機制の不足で、システムがハッカーに進入され会員データを盗まれることも有り得ることである。
【００１５】
３．伝言板：
更に、プログラムにより人力に替える方式があり、１つの名前を記入するだけで自動検索するプログラムであり、バーチャルワールドに存在する電子メールの会員番号を検索し、例えば、学校の電子公布欄（ＢＢＳ）、ウェブサイト上の伝言板および討論場であり、通常は、作者のメールアドレスがあり、簡単にメールアドレスを得ることができる。言い換えれば、しばしばインターネット上に曝したメールアドレスが、迷惑メールを受信する確率が高く、意図を持ってすれば、１つのプログラムを用いて検索照合させるだけで、多くの収穫を得ることができるので、露出率が高いメールアドレスほど、対応して迷惑メールを受信する確率も高くなる。
【００１６】
４．試行錯誤法：
これは比較的有名でメールサービスを提供しているドメインに対して、例えば、yahoo、hotmail等のドメインであり、良くある人名、または数字による配列組み合わせを使用し、例えば、John、Mary、Jason等の名前または001、002等の配列組み合わせであり、John＠yahoo.comまたはMary001＠hotmail.com等のように大量のメールアドレスが得られる。
【００１７】
５．個人的収集：
現在多くの人が既にインターネット上に自己のワールドワイドウェブウェブページを有し、前記ウェブページ中には皆“お問い合わせ（contact us）”の設計が設けられ、このように自分が他人と連絡することに用いるE-mail addressのデータを暴露するのと同じであり、意図を持った人は、即座に前記“お問い合わせ（contact us）”上のE-mail addressのデータを経由して電子メールのIPアドレスを知ることが可能である。
【００１８】
上記の方法により知ることができ、個人または企業の電子メールアドレスが皆容易に“意図を持った者”により知られ、迷惑メールの嫌がらせに遭い更には破裂させられる。
【００１９】
Ｃ.ワールドワイドウェブ上のボイスコミュニケーションについて言えば：
ワールドワイドウェブの帯域幅が増加し伝送速度がますます速くなる情勢の下、インターネットユーザーが、ワールドワイドウェブを選択利用しオンラインでリアルタイムボイスコミュニケーションを行う状況が既に趨勢し、特に、ワールドワイドウェブの通信費が電話の通信費に比較して極めて低く、更にＰＣを使用し仕事をする人口は全世界で既に絶え間なく成長していることが、国際間の長距離電話がワールドワイドウェブ上のリアルタイムボイスコミュニケーションに取って代わることを間接的に促進している。
【００２０】
しかしながら、現在ＰＣを使用しワールドワイドウェブでボイスコミュニケーションの操作を行う上で、以下の欠点が存在する：
【００２１】
１．周知のとおり、インターネットに連結する如何なるコンピューターも、皆その専属のＩＰ（Internet  Protocol）アドレスを有し、前記ＩＰアドレスは、非常に記憶し易く、それが4組の十進数（0〜255）が組み合わさってなる配列組み合わせであるので、例えば、有名なエントランスウェブサイトyahoo！KimoのホストコンピューターＩＰアドレスはhttp：//202.1.237.21/であり；全世界で知られる有線電子ニュースウェブサイトＣＮＮのホストコンピューターＩＰアドレスはhttp://207.25.71.26/であり、前記これらの長く陳列された数字は、既に如何なる関連性もなく、如何なる意義性もなく、一般人が、効率的に記憶することができず、ユーザーがオンラインボイスコミュニケーションを行おうとする時、その使用するホストコンピューター中のボイスコミュニケーションソフトウェア内に、前記ユーザー専属のホストコンピューターＩＰアドレスを先行キー入力（key in）して初めて、相互にオンラインボイスコミュニケーションを完成させることができ、ユーザーがキー入力した4組のＩＰアドレス数字のうち、１つでも誤りがあれば、接続に失敗するので、通常、個人のメモに迅速に記録するか、またはパソコン内の専属データファイル内に保存するか等の助けを借り、ようやく忘れて間違えることを回避し、同時にボイスコミュニケーションの対象が増加するに伴い、記録する筆数も対応して増加し、管理上の困難を形成し、不便である。
【００２２】
２．出国または外地へ出る時、インターネットを使用するコンピューターは、個人の家庭で常用するＰＣではなく、前記ＰＣ内の保存データ中から受話端ホストコンピューターＩＰアドレスを探し出すことはできず、メモリースティック等で前記受話端ホストコンピューターのＩＰアドレスをメモしていない限り、大きな費用を使い国内に電話し助けを求め、他人に対して前記受話端ホストコンピューターのＩＰアドレスを問わなければならず、このような困難は毎日全世界で絶え間なく発生している。
【００２３】
３．オンラインボイスコミュニケーションが大量に使用される趨勢の下、従来の電話のいたずら電話に類似し、毎日多くの関係のない経歴不明のオンラインボイスコミュニケーション“コール”を受けることがあり、反対に本当にボイスコミュニケーションをしたい対象に影響を及ぼし進入できないことが起こるので、これらの無関係で経歴不明な対象がインターネット上で“コール”することを如何に阻止するかは、非常に重要であり、解決が必要な課題である。
【特許文献１】中華民国特許第192971号公告公報
【特許文献２】中華民国特許第569132号公告公報
【発明の開示】
【発明が解決しようとする課題】
【００２４】
本発明は、個人または会社専属の現地電話番号、所属国の電話国別番号、所属都市地域の電話地域番号およびそれらにより指定される識別番号から、“国番号＋地域番号＋現地電話番号＋識別番号”の特定配列組み合わせパターンにより、前記個人または会社の専属ウェブサイトの特定ドメインネームを組み合わせ、同時にワールドワイドウェブ中の特定ウェブサイトのサーバー内のデータベースに登録保存し；インターネットユーザーが前記個人または会社専属の現地電話番号、所属国の電話国別番号、所属都市地域の電話地域番号および指定の識別番号を知らされるか、既に知っている時、前記特定ウェブサイトの検索インターフェイスダイナミックウェブページを経由し、前記個人または会社の“国番号＋地域番号＋現地電話番号＋識別番号”配列パターンをキー入力した後、前記特定ウェブサイトサーバー内の検索プログラムを経由し、データベース内に進入し前記配列パターンが対応する特定ドメインネームを照合取得し、前記個人または会社所属の特定ドメインネームのウェブサイトに自動接続し、前記特定ドメインネームのウェブサイトに進入し観覧する目的を確実に達成する「数個の特定電話番号による数列組み合わせからなる数字配列に基づき識別番号を加えワールドワイドウェブの特定コンピューターＩＰアドレスを検索する方法」を提供することを目的とする。
【００２５】
本発明は、更に、個人または会社専属の現地電話番号、所属国の電話国別番号、所属都市地域の電話地域番号およびそれらに指定される識別番号から、“国番号＋地域番号＋現地電話番号＋識別番号”の特定配列組み合わせパターンにより、前記個人または会社の専属電子メールアドレスを組み合わせ、同時に特定メールサーバーまたはワールドワイドウェブ中のいずれか１つのウェブサイトのサーバー内のデータベースに登録保存し；電子メールを発送するユーザーが前記個人または会社専属の現地電話番号、所属国の電話国別番号、所属都市地域の電話地域番号および指定の識別番号を知らされるか既に知っている時、メールサーバーまたは特定ウェブサイト内の検索ダイナミックウェブページ上に設置された入力フィールドを経由し、前記個人または会社の“国番号＋地域番号＋現地電話番号＋識別番号”配列パターンをキー入力した後、前記メールサーバーまたは特定ウェブサイトサーバー内の検索プログラムを経由し、メールサーバーまたはウェブサイトサーバーのデータベース内に進入するか、またはワールドワイドウェブ上のいずれか１つのウェブサイトサーバーのデータベース内に接続し、前記配列パターンが対応する特定電子メールＩＰアドレスを照合取得し、前記個人または会社の受信者の所属特定電子メールＩＰアドレスドメインネームのウェブサイトに自動接続し、発送する電子メールを直接に前記某個人または会社の受信者の専属電子メールＩＰアドレスに指向させ、前記電子メールが前記某個人または会社受信者の専属電子メールアドレスのＰＯＰ電子メールサーバー内に到達できるようにする「数個の特定電話番号による数列組み合わせからなる数字配列に基づき識別番号を加えワールドワイドウェブの特定コンピューターＩＰアドレスを検索する方法」を提供することを目的とする。
【００２６】
本発明は、更に、個人または会社専属の現地電話番号、所属国の電話国別番号、所属都市地域の電話地域番号およびそれらに指定される識別番号から、“国番号＋地域番号＋現地電話番号＋識別番号”の特定配列組み合わせパターンにより、前記個人または会社の専属の特定ボイスコミュニケーションホストコンピューターのＩＰアドレスを組み合わせ、同時にワールドワイドウェブ中のいずれか１つのウェブサイトのサーバー内のデータベースに登録保存し；ユーザーが前記個人または会社専属の現地電話番号、所属国の電話国別番号、所属都市地域の電話地域番号および指定の識別番号を知らされるか既に知っている時、ユーザーのＰＣ中のボイスコミュニケーションソフトウェア内に設置された入力フィールド、または特定ウェブサイト内の検索ダイナミックウェブページに設置された入力フィールドを経由し、前記個人または会社の“国番号＋地域番号＋現地電話番号＋識別番号”配列パターンをキー入力した後、前記インストールされたボイスコミュニケーションソフトウェア内の検索プログラムまたは特定ウェブサイトサーバー内の検索プログラムを経由し、いずれか１つのウェブサイトのウェブサイトサーバーのデータベース内に進入し、前記配列パターンが対応する個人または会社専属のボイスコミュニケーションホストコンピューターＩＰアドレスを照合取得し、ワールドワイドウェブを通して、前記個人または会社所属のホストコンピューターＩＰアドレスに自動接続し、前記某個人または会社の受話者がオンラインで即座にボイスコミュニケーションソフトウェアで発話者の「ボイスメッセージ要求（Voice Message Request）」を識別受信させ、前記発話者が低い通信費のワールドワイドウェブを利用して相互のボイスコミュニケーションを達成できるようにする「数個の特定電話番号による数列組み合わせからなる数字配列に基づき識別番号を加えワールドワイドウェブの特定コンピューターＩＰアドレスを検索する方法」を提供することを目的とする。
【課題を解決するための手段】
【００２７】
本発明は、個人または会社専属の現地電話番号、所属国の電話国別番号、所属都市地域の電話地域番号およびそれらにより指定される識別番号から、“国番号＋地域番号＋現地電話番号＋識別番号”の特定配列組み合わせパターンにより、前記個人または会社の専属ウェブサイトの特定ドメインネームを組み合わせ、同時にワールドワイドウェブ中の特定ウェブサイトのサーバー内のデータベースに登録保存し；インターネットユーザーが前記個人または会社専属の現地電話番号、所属国の電話国別番号、所属都市地域の電話地域番号および指定の識別番号を知らされるか既に知っている時、前記特定ウェブサイトの検索インターフェイスダイナミックウェブページを経由し、前記個人または会社の“国番号＋地域番号＋現地電話番号＋識別番号”配列パターンをキー入力した後、前記特定ウェブサイトサーバー内の検索プログラムを経由し、データベース内に進入し前記配列パターンが対応する特定ドメインネームを照合取得し、前記個人または会社所属の特定ドメインネームのウェブサイトに自動接続し、前記特定ドメインネームのウェブサイトに進入し観覧する目的を確実に達成する「数個の特定電話番号による数列組み合わせからなる数字配列に基づき識別番号を加えワールドワイドウェブの特定コンピューターＩＰアドレスを検索する方法」を提供する。
【００２８】
本発明は、更に、個人または会社専属の現地電話番号、所属国の電話国別番号、所属都市地域の電話地域番号およびそれらに指定される識別番号から、“国番号＋地域番号＋現地電話番号＋識別番号”の特定配列組み合わせパターンにより、前記個人または会社の専属電子メールアドレスを組み合わせ、同時に特定メールサーバーまたはワールドワイドウェブ中のいずれか１つのウェブサイトのサーバー内のデータベースに登録保存し；電子メールを発送するユーザーが前記個人または会社専属の現地電話番号、所属国の電話国別番号、所属都市地域の電話地域番号および指定の識別番号を知らされるか既に知っている時、メールサーバーまたは特定ウェブサイト内の検索ダイナミックウェブページ上に設置された入力フィールドを経由し、前記個人または会社の“国番号＋地域番号＋現地電話番号＋識別番号”配列パターンをキー入力した後、前記メールサーバーまたは特定ウェブサイトサーバー内の検索プログラムを経由し、メールサーバーまたはウェブサイトサーバーのデータベース内に進入するか、またはワールドワイドウェブ上のいずれか１つのウェブサイトサーバーのデータベース内に接続し、前記配列パターンが対応する特定電子メールＩＰアドレスを照合取得し、前記個人または会社の受信者の所属特定電子メールＩＰアドレスドメインネームのウェブサイトに自動接続し、発送する電子メールを直接に前記某個人または会社の受信者の専属電子メールＩＰアドレスに指向させ、前記電子メールが前記某個人または会社受信者の専属電子メールアドレスのＰＯＰ電子メールサーバー内に到達できるようにする「数個の特定電話番号による数列組み合わせからなる数字配列に基づき識別番号を加えワールドワイドウェブの特定コンピューターＩＰアドレスを検索する方法」を提供する。
【００２９】
本発明は、更に、個人または会社専属の現地電話番号、所属国の電話国別番号、所属都市地域の電話地域番号およびそれらに指定される識別番号から、“国番号＋地域番号＋現地電話番号＋識別番号”の特定配列組み合わせパターンにより、前記個人または会社の専属の特定ボイスコミュニケーションホストコンピューターのＩＰアドレスを組み合わせ、同時にワールドワイドウェブ中のいずれか１つのウェブサイトのサーバー内のデータベースに登録保存し；ユーザーが前記個人または会社専属の現地電話番号、所属国の電話国別番号、所属都市地域の電話地域番号および指定の識別番号を知らされるか既に知っている時、ユーザーのＰＣ中のボイスコミュニケーションソフトウェア内に設置された入力フィールド、または特定ウェブサイト内の検索ダイナミックウェブページに設置された入力フィールドを経由し、前記個人または会社の“国番号＋地域番号＋現地電話番号＋識別番号”配列パターンをキー入力した後、前記インストールされたボイスコミュニケーションソフトウェア内の検索プログラムまたは特定ウェブサイトサーバー内の検索プログラムを経由し、いずれか１つのウェブサイトのウェブサイトサーバーのデータベース内に進入し、前記配列パターンが対応する個人または会社専属のボイスコミュニケーションホストコンピューターＩＰアドレスを照合取得し、ワールドワイドウェブを通して、前記個人または会社所属のホストコンピューターＩＰアドレスに自動接続し、前記某個人または会社の受話者がオンラインで即座にボイスコミュニケーションソフトウェアで発話者の「ボイスメッセージ要求（Voice Message Request）」を識別受信させ、前記発話者が低い通信費のワールドワイドウェブを利用して相互のボイスコミュニケーションを達成できるようにする「数個の特定電話番号による数列組み合わせからなる数字配列に基づき識別番号を加えワールドワイドウェブの特定コンピューターＩＰアドレスを検索する方法」を提供する。
【発明の効果】
【００３０】
本発明は、本当に観覧が必要なインターネットユーザーに前記特定ウェブサイトへのロ３グオンを可能とし、万一識別番号が解読されても、即座に変更することができ、確実に産業の利用性および実用性を有するものである。
【００３１】
本発明は、本当に電子メールのやりとりをする必要が有る者が、相互に電子メールの送受信をできるようにし、万一識別番号が解読されても、即座に変更することができ、確実に電子メールの好ましい送受信方法となるものである。
【００３２】
本発明は、本当に相互にオンラインボイスコミュニケーションをする必要が有る者が、コミュニケーションを達成できるようにし、万一識別番号が解読されても、即座に変更することができ、確実にインターネット電話のいたずら電話をされる問題を解決する方法となるものである。
【発明を実施するための最良の形態】
【００３３】
図１は、本発明の「数個の特定電話番号による配列組み合わせにてなる数列に識別番号を加えワールドワイドウェブの特定コンピューターＩＰアドレスを検索する方法」の第１実施例を示すものであり、特定ウェブサイト１０ａ、検索インターフェイスダイナミックウェブページ２０ａ、検索プログラム３０ａおよびデータベース４０ａを含む。そのうち、前記特定ウェブサイト１０ａの特定ウェブサイトサーバー１１ａはワールドワイドウェブＷに接続し、その各種インターネットに入出力されるデータは、皆ワールドワイドウェブＷの各種通信規定に適合する。前記検索インターフェイスダイナミックウェブページ２０ａは、前記特定ウェブサイト１０ａのホームページ（Home page）またはホームページ下のウェブページ（Web  page）であり、ワールドワイドウェブＷに応用可能なソフトウェア言語により書かれ、そのページ中には、「国番号＋地域番号＋現地電話番号＋識別番号」数列パターンを順に入力させる入力フィールド２１ａが設けられる；前記検索プログラム３０ａはワールドワイドウェブＷに応用可能なソフトウェア言語により書かれ、インターネットユーザーＵが「国番号＋地域番号＋現地電話番号＋識別番号」数列パターンを前記特定ウェブサイト１０ａの検索インターフェイスダイナミックウェブページ２０ａ中の入力フィールド２１ａにキー入力した後、起動実行される。前記データベース４０ａは、前記特定ウェブサイト１０ａの特定ウェブサイトサーバー１１ａ内に設置されるとともに、「各特定ドメインネームおよびその対応するウェブサイトサーバーＩＰアドレス」、および前記「各特定ドメインネームおよびその対応するウェブサイトサーバーＩＰアドレス」に対応する電話番号および識別番号データを内部に登録保存する。
【００３４】
本発明の各実施例中の検索インターフェイスダイナミックウェブページ２０ａ，２０ｂ，２０ｃおよび検索プログラム３０ａ，３０ｂ，３０ｃのプログラムは下記のとおりであり、いずれもＰＨＰソフトウェア言語により記載されているが、その他のワールドワードウェブに応用可能なソフトウェア言語、例えば：ＸＨＴＭＬ，ＸＭＬ，ＶＢＳｃｒｉｐｔ，ＡＳＰ，ＣＳＳ，ＪＳＰ，Ｃ，Ｃ＋＋，ＣＧＩ２０，Ｊａｖａ（登録商標），ＡｃｔｉｖｅＸ等も適用することができる。
【００３５】
図２は、本発明の各実施例中の各検索インターフェイスダイナミックウェブページ２０ａ，２０ｂ，２０ｃが所有する検索インターフェイスダイナミックウェブページプログラム２００，２０１，２０２，２０３，２０４，２０５を示すものであり、その実行プロセスの機能はそれぞれ以下のようである。
【００３６】
プログラム２００→以下に構築される検索インターフェイスダイナミックウェブページ内容の語法がウェブブラウザの語法と同一であることを宣告する；
プログラム２０１→前記検索インターフェイスダイナミックウェブページに対してワールドワイドウェブ中でハイパーテキスト（Hypertext）機能を行使する特定名称を与える；
プログラム２０２→検索インターフェイスダイナミックウェブページ上に表示する表のタイプがどこで取得できるかの経路を知らせる；
プラグラム２０３→検索インターフェイスダイナミックウェブページに１つのフィールドを提供し、インターネットユーザーに特定電話番号の数列をキー入力させる；
プログラム２０４→検索インターフェイスダイナミックウェブページ内に１つのフィールドを提供する；インターネットユーザーが知っている識別番号をキー入力させる；
プログラム２０５→プログラム２０４を完成した後、伝送される命令を即実行する；
【００３７】
図３は、本発明の各実施例中の各検索プログラム３０ａ，３０ｂ，３０ｃの所有プルグラム３００，３０１，３０２，３０３，３０４，３０５を示すものであり、その実行プロセスの機能はそれぞれ以下のようである：
【００３８】
プログラム３００→以下に構築される検索インターフェイスダイナミックウェブページ内容の語法がウェブブラウザの語法と同一であることを宣告する；
プログラム３０１→データベースの所在位置を検索する；
プログラム３０２→データベース中の適合するデータを検索する；
プラグラム３０３→「検索インターフェイスダイナミックウェブページ」のフィールド内を検査し、空白であるか、または前記フィールド内に記載された電話番号配列データと「データベース」内に登録された電話番号配列データを照合して適合しない場合、検索に失敗した情報を開き、前記情報を「検索インターフェイスダイナミックウェブページ」に伝送し正確な電話番号データの再入力を要求する。
プログラム３０４→「検索インターフェイスダイナミックウェブページ」フィールド内の電話番号配列、識別番号、および「データベース」内に登録された電話番号配列および識別番号が対応する特定コンピューターＩＰアドレスの三者のデータを照合し、適合する場合、前記特定コンピューターＩＰアドレスに情報伝送を即実行する；そのうち、前記特定コンピューターＩＰアドレスは、「ウェブサイトサーバーＩＰアドレス」または「電子メールサーバーＩＰアドレス」または「オンラインボイスコミュニケーションＩＰアドレス」として設定できる。
プログラム３０５→「検索インターフェイスダイナミックウェブページ」フィールド内の電話番号配列、識別番号、および「データベース」内に登録された電話番号配列および識別番号が対応する特定コンピューターＩＰアドレスの三者のデータを照合し、電話番号配列部分だけが同一であり、識別番号が異なる場合、検索照合に失敗した情報を開き、前記情報を「検索インターフェイスダイナミックウェブページ」に伝送し正確な電話番号データの再入力を要求する。
【００３９】
図１，図２，図３に示されるように、インターネットユーザーＵが、某個人または会社のドメインネーム専属の電話番号または携帯電話番号およびその識別番号を知らされるか既知である時、まずワールドワイドウェブＷを経由し特定ウェブサイト１０ａに進入した後、前記特定ウェブサイト１０ａの検索インターフェイスダイナミックウェブページ２０ａ内にクリックして進入し、それぞれ前記個人または会社のドメインネーム専属の電話番号または携帯電話番号およびその識別番号を、前記検索インターフェイスダイナミックウェブページ２０ａ中「国番号＋地域番号＋現地電話番号＋識別番号」の特定配列パターンに基づく入力フィールド２１ａ内にキー入力した後｛例： 886（台湾）＋7（高雄）＋1234567（現地電話番号）＋johnLins007（識別番号）、または、886＋1234567890（個人携帯電話番号）＋johnLins007（識別番号）｝、前記検索インターフェイスダイナミックウェブページ２０ａの各プログラム２００，２０１，２０２，２０３，２０４，２０５（図２参照）が、それぞれ順番にその各自のプログラム命令を実行完成し、検索プログラム３０ａを起動し、前記検索プログラム３０ａの各プログラム３００，３０１，３０２，３０３，３０４，３０５（図３参照）を経由し、それぞれ順番にその各自のプログラム命令を実行した後、データベース４０ａ内の「電話番号および識別番号」およびその対応する「ドメインネーム」の照合を開始し、照合して得られる検索インターフェイスダイナミックウェブページ２０ａの「電話番号配列および識別番号」とデータベース４０ａに登録された「電話番号配列および識別番号」の両者が適合する場合、前記両者が適合する「電話番号配列および識別番号」に対応する特定ドメインネームを前記ドメインネーム所属の特定ドメインネームウェブサイト５０のＩＰアドレスにハイパーリンク（hyperlink）させ、前記特定ドメインネームウェブサイト５０のいずれか１つのウェブページが前記特定ウェブページ１０ａの検索インターフェイスダイナミックウェブページ２０ａに直接取って代わることができるようにするか、または前記特定ウェブサイト１０ａの検索インターフェイスウェブページ２０ａ以外に、前記特定ドメインネームウェブサイト５０を表示するウェブページを開き、インターネットユーザーＵが前記特定ドメインネームウェブサイト５０に進入し観覧することができるようにする；反対に、前記検索プログラム３０ａの各プログラム３００，３０１，３０２，３０３，３０４，３０５が、実行された後、適合する電話番号配列および識別番号を照合して得られない場合、前記プログラム３０５が「正確な電話番号および識別番号を再度入力してください」の命令を検索インターフェイスダイナミックウェブページ２０ａ上に伝送し、前記インターネットユーザーＵに知らせ、前記検索インターフェイスダイナミックウェブページ２０ａ中の入力フィールド２１ａ内にもう１度正確な電話番号および識別番号をキー入力されて初めて、再度検索の照合を行うことを可能とする。
【００４０】
図４は、本発明の第２実施例を示す図であり、そのうち、前記データベース４０ａは、前記特定ウェブサイト１０ａの特定ウェブサイトサーバー１１ａ内に設置される以外に、さらに、数個のワールドワイドウェブＷ中のいずれか１つのウェブサイト１０ａ’に接続するウェブサイトサーバー１１ａ’内に設けられるデータベース４０ａ’を含み、数個のデータベース４０ａ’内に「各特定ドメインネームおよびその対応するウェブサイトサーバーのＩＰアドレス」、および前記「各特定ドメインネームおよびその対応するウェブサイトサーバーのＩＰアドレス」に対応する電話番号および識別番号のデータも登録保存される；インターネットユーザーＵは、某個人または会社のドメインネーム専属の電話番号または携帯電話番号およびその識別番号を知らされるか既知である時、まずワールドワイドウェブＷを経由し特定ウェブサイト１０ａに進入した後、前記特定ウェブサイト１０ａの検索インターフェイスダイナミックウェブページ２０ａ内にクリックして進入し、それぞれ前記個人または会社のドメインネーム専属の電話番号または携帯電話番号およびその識別番号を、前記検索インターフェイスダイナミックウェブページ２０ａ中「国番号＋地域番号＋現地電話番号＋識別番号」特定配列パターンに基づく入力フィールド２１ａ内にキー入力した後｛例： 886（台湾）＋7（高雄）＋1234567（現地電話番号）＋johnLins007（識別番号）、または、886＋1234567890（個人携帯電話番号）＋johnLins007（識別番号）｝、前記検索プログラム３０ａが起動され、同時に前記特定ウェブサイト１０ａの特定ウェブサイトサーバー１１ａ内のデータベース４０ａおよびワールドワイドウェブＷに接続するいずれか１つのウェブサイト１０ａ’ウェブサイトサーバー１１ａ’内のデータベース４０ａ’を照合し、検索インターフェイスダイナミックウェブページ２０ａの「電話番号および識別番号」およびデータベース４０ａおよび４０ａ’内の「電話番号配列および識別番号」両者が適合する時、前記両者が適合する「電話番号配列および識別番号」に対応する特定ドメインネームを有し、前記特定ドメインネームが属する特定ドメインネームウェブサイト５０のＩＰアドレスにハイパーリンク（Hyperlink）させ、前記特定ドメインネームウェブサイト５０のいずれか１つのウェブページが以前の特定ウェブサイト１０ａの検索インターフェイスダイナミックウェブページ２０ａに直接取って代わるか、または前記特定ウェブサイト１０ａの検索インターフェイスダイナミックウェブページ２０ａ以外に、前記特定ドメインネームウェブサイト５０を表示するウェブサイトを開くことができるようにする；反対に、前記検索プログラム３０ａの各プログラム３００，３０１，３０２，３０３，３０４，３０５が、実行された後、適合する電話番号配列および識別番号を照合して得られない場合、前記プログラム３０５が「正確な電話番号および識別番号を再度入力してください」の命令を検索インターフェイスダイナミックウェブページ２０ａ上に伝送し、前記インターネットユーザーＵに知らせ、前記検索インターフェイスダイナミックウェブページ２０ａ中の入力フィールド２１ａ内にもう１度正確な電話番号および識別番号をキー入力されて初���て、再度検索の照合を行うことを可能とする。
【００４１】
前記第１および第２実施例中の「識別番号」は、コンピューター中に入力できる文字、数字、符号またはその２つ以上の組み合わせから構成され、ウェブサイト経営者が自ら任意に指定し随時にその設定を自動変更でき、「識別番号」知らせる対象の数量によって、そのウェブサイトの観覧を許可する人の選択および管理を達成することができ、電話番号によりドメインネームに置き換える長所を保有する以外に、関係のないインターネットユーザーからの不当な攻撃を阻止し、パンクまたは麻痺がそのウェブサイトに発生することを防ぐことができる；識別番号を知らない者が、電話番号を知っているだけでは前記ウェブサイトを観覧することができないようにするものであるので、本発明は、本当に観覧が必要なインターネットユーザーに前記特定ウェブサイトへのログオンを可能とし、万一識別番号が解読されても、即座に変更することができ、確実に産業の利用性および実用性を有するものである。
【００４２】
図５は、本発明の第３実施例を示す図であり、Web-Based形態の電子メールを使用する方法であり：特定ウェブサイト１０ｂ、検索インターフェイスダイナミックウェブページ２０ｂ、検索プログラム３０ｂおよびデータベース４０ｂを含むものであり；そのうち、前記特定ウェブサイト１０ｂの特定ウェブサイトサーバー１１ｂは、ワールドワイドウェブＷ上に接続し、その各種インターネットに入出力するデータは、いずれもワールドワイドウェブＷの各種通信協定に適合するものであり；前記検索インターフェイスダイナミックウェブページ２０ｂのホームページ（Home page）またはホームページ以下のそのうち１つのウェブページ（web page）であり、ワールドワイドウェブＷに応用可能なソフトウェア言語により書かれ、そのページ中には、「国番号＋地域番号＋現地電話番号＋識別番号」数列パターンを順に入力させる入力フィールド２１ｂが設けられる；前記検索プログラム３０ｂはワールドワイドウェブＷに応用可能なソフトウェア言語により書かれ、その発信者Ｓが「国番号＋地域番号＋現地電話番号＋識別番号」数列パターンを前記特定ウェブサイト１０ｂの検索インターフェイスダイナミックウェブページ２０ｂ中の入力フィールド２１ｂにキー入力した後、起動実行される；前記データベース４０ｂは、前記特定ウェブサイト１０ｂの特定ウェブサイトサーバー１１ｂ内に設置されるとともに、「各特定電子メールアドレスおよびその対応するメールサーバーＩＰアドレス」、および前記「各特定電子メールアドレスおよびその対応するメールサーバーＩＰアドレス」に対応する電話番号および識別番号データを内部に登録保存する。
【００４３】
図２、図３および図５に示されるように、発信者Ｓが1通の電子メールを書き終え某個人または会社の電子メールアドレス専属の電話番号または携帯電話およびその識別番号を知らされるか既知である時、有線伝送（例えば：市内電話線路、有線テレビＣＡＴＶ線路等）または無線伝送の方式（例えば：携帯電話、衛星電話等）を利用し、ワールドワイドウェブ（World  Wide  Web）Ｗに接続し特定ウェブサイト１０ｂに進入した後、前記特定ウェブサイト１０ｂの検索インターフェイスダイナミックウェブページ２０ｂ内に進入し、それぞれ前記個人または会社電子メールアドレス専属の電話番号または携帯電話およびその識別番号を、前記検索インターフェイスダイナミックウェブページ２０ｂ中「国番号＋地域番号＋現地電話番号＋識別番号」特定配列パターンに基づく入力フィールド２１ａ内にキー入力した後｛例： 886（台湾）＋7（高雄）＋1234567（現地電話番号）＋johnLins007（識別番号）、または886＋1234567890（個人携帯電話番号）＋johnLins007（識別番号）    ｝、前記検索インターフェイスダイナミックウェブページ２０ｂの各プログラム２００，２０１，２０２，２０３，２０４，２０５（図２参照）が、それぞれ順番にその各自のプログラム命令を実行完成し、検索プログラム３０ｂを起動し、前記検索プログラム３０ｂの各プログラム３００，３０１，３０２，３０３，３０４，３０５（図３参照）を経由し、それぞれ順番にその各自のプログラム命令を実行した後、データベース４０ｂ内の「電話番号および識別番号」およびその対応する「電子メール」の照合を開始し、照合して得られる検索インターフェイスダイナミックウェブページ２０ｂの「電話番号配列および識別番号」とデータベース４０ｂに登録された「電話番号配列および識別番号」の両者が適合する場合、前記両者が適合する「電話番号配列および識別番号」に対応する特定電子メールをインターネットＩを介して前記発信者Ｓ所属のＳＭＴＰメールサーバー６０のＩＰアドレス内に自動伝送し、ＳＭＴＰメールサーバー６０により発信者Ｓが書いた電子メールを、インターネットＩを通して受信者ＲのＰＯＰメールサーバー７０のＩＰアドレス内に自動伝送し、受信者ＲはインターネットＩを経由し前記ＰＯＰメールサーバー７０中に達し、前記発信者Ｓが発送する電子メールの内容を取得し観覧することができる；反対に、前記検索プログラム３０ｂの各プログラム３００，３０１，３０２，３０３，３０４，３０５が、実行された後、適合する電話番号配列および識別番号を照合して得られない場合、前記プログラム３０５が「正確な電話番号を再度入力してください」の命令を検索インターフェイスダイナミックウェブページ２０ｂ上に伝送し、前記発信者Ｓに知らせ、前記検索インターフェイスダイナミックウェブページ２０ｂ中の入力フィールド２１ｂ内にもう１度正確な電話番号および識別番号をキー入力されて初めて、再度検索の照合を行うことを可能とする。
【００４４】
図６は、本発明の第４実施例を示す図であり、前記第３実施例のWeb-Based形態の電子メールを使用する方法のもう１つの実施例であり、そのうち、前記データベース４０ｂが前記特定ウェブサイト１０ｂの特定ウェブサイトサーバー１１ｂ内に設置される以外に、更にワールドワイドウェブＷ中のいずれか１つのウェブサイト１０ｂ’に接続するウェブサイトサーバー１１ｂ’内の数個のデータベース４０ｂ’を含み、前記数個のデータベース４０ｂ’内には、いずれも「各特定電子メールアドレスおよびその対応するメールサーバーＩＰアドレス」および前記「各特定電子メールアドレスおよびその対応するメールサーバーＩＰアドレス」に対応する電話番号および識別番号データが登録保存される；発信者Ｓは受信者Ｒの個人または会社の電子メールアドレス専属の電話番号および識別番号を前記検索インターフェイスダイナミックウェブページ２０ｂ中「国番号-地域番号-現地電話番号-識別番号」の入力フィールド２１ｂ内にキー入力した後、前記検索プログラム３０ｂが起動され、前記特定ウェブサイト１０ｂの特定ウェブサイトサーバー１１ｂ内のデータベース４０ｂおよびワールドワイドウェブＷに接続するいずれか１つのウェブページ１０ｂ’のウェブサイトサーバー１１ｂ’のデータベース４０ｂ’を検索照合し、検索インターフェイスダイナミックウェブページ２０ｂの「電話番号および識別番号」およびデータベース４０ｂおよび４０ｂ’の「電話番号配列および識別番号」両者が適合する時、前記両者が適合する「電話番号配列および識別番号」に対応する特定電子メールアドレスを照合取得し、インターネットＩを介して前記発信者Ｓが属するＳＭＴＰメールサーバー６０のＩＰアドレス内に自動伝送し、前記ＳＭＴＰメールサーバー６０から発信者Ｓが記載した電子メールをインターネットＩを介して受信者ＲのＰＯＰメールサーバー７０のＩＰアドレス内に伝送し、受信者ＲがインターネットＩを経由し前記ＰＯＰメールサーバー７０中の前記発信者Ｓが発送した電子メールの内容を取得観覧することができる。反対に、前記検索プログラム３０ｂの各プログラム３００，３０１，３０２，３０３，３０４，３０５が、実行された後、適合する電話番号配列および識別番号を照合して得られない場合、前記プログラム３０５が「正確な電話番号を再度入力してください」の命令を検索インターフェイスダイナミックウェブページ２０ｂ上に伝送し、前記発信者Ｓに知らせ、前記検索インターフェイスダイナミックウェブページ２０ｂ中の入力フィールド２１ｂ内にもう１度正確な電話番号および識別番号をキー入力されて初めて、再度検索の照合を行うことを可能とする。
【００４５】
図７は、本発明の第５実施例を示す図であり、ＰＯＰ形態の電子メールを使用する方法であり：電子メールソフトウェア８０、検索プログラム９０およびデータベースサーバー４０ｃを含むものであり；そのうち、前記電子メールソフトウェア８０は、発信者ＳのコンピューターＰ内にインストールされ、「国番号＋地域番号＋現地電話番号＋識別番号」数列パターンを順に入力させる入力フィールド８１が設けられる；前記検索プログラム９０も発信者ＳのコンピューターＰ内にインストールされ、発信者Ｓが「国番号＋地域番号＋現地電話番号＋識別番号」数列パターンを電子メールソフトウェア８０中の入力フィールド８１にキー入力した後、起動実行される；前記データベース４０ｃは、インターネットＩに接続され、その内部には「各特定電子メールアドレスおよびその対応するメールサーバーＩＰアドレス」、および前記「各特定電子メールアドレスおよびその対応するメールサーバーＩＰアドレス」に対応する電話番号および識別番号データを登録保存する。
【００４６】
図７に示されるように、発信者ＳがＰＯＰ形態の電子メールを使用する方法を選択し電子メールを送信する時、まずコンピューターＰ内で電子メールソフトウェア８０を起動し、受信者Ｒの個人または会社電子メールアドレス専属の電話番号または携帯電話およびその識別番号を前記電子メールソフトウェア８０中「国番号＋地域番号＋現地電話番号＋識別番号」の入力フィールド８１内にキー入力した後、前記検索プログラム９０を起動し、有線伝送（例えば：市内電話、有線テレビＣＡＴＶ線等）または無線伝送の方式（例えば：携帯電話、衛星電話等）を利用し、インターネットＩ中のデータベースサーバー４０ｃに接続し、前記データベースサーバー４０ｃ内の特定電子メールアドレスおよびその対応するメールサーバーＩＰアドレスを照合し、前記電子メールソフトウェア８０中の入力フィールド８１内の「電話番号配列および識別番号」とデータベース４０ｃに登録された「電話番号配列および識別番号」の両者が適合する場合、前記両者が適合する「電話番号配列および識別番号」に対応する特定電子メールをインターネットＩを介して前記発信者Ｓ所属のＳＭＴＰメールサーバー６０のＩＰアドレス内に自動伝送し、ＳＭＴＰメールサーバー６０により発信者Ｓが書いた電子メールをインターネットＩを通して受信者ＲのＰＯＰメールサーバー７０のＩＰアドレス内に自動伝送し、受信者ＲはインターネットＩを経由し前記ＰＯＰメールサーバー７０中に達し、前記発信者Ｓが発送する電子メールの内容を取得し観覧することができる；反対に、前記検索プログラム９０が実行された後、適合する「電話番号配列および識別番号」が照合して得られない場合、「正確な電話番号を再度入力してください」の命令を電子メールソフトウェア８０中に伝送し、前記発信者Ｓに知らせ、前記メールソフトウェア８０中の入力フィールド８１内にもう１度正確な「電話番号および識別番号」をキー入力されて初めて、再度検索の照合を行うことを可能とする。
【００４７】
図８は、本発明の第６実施例を示す図であり、ＰＯＰ形態の電子メールを使用する方法のもう１つの実施例であり、そのうち、前記データベースサーバー４０ｃが、更にインターネットＩに接続するその他の数個のデータベースサーバー４０ｃ’を含むものであり、前記数個のデータベース４０ｃ’内には、いずれも「各特定電子メールアドレスおよびその対応するメールサーバーＩＰアドレス」および前記「各特定電子メールアドレスおよびその対応するメールサーバーＩＰアドレス」に対応する電話番号および識別番号データが登録保存される；発信者ＳがＰＯＰ形態の電子メールを使用する方式を選択し電子メールを送信する時、まずコンピューターＰ内で電子メールソフトウェア８０を起動し、受信者Ｒの個人または会社電子メールアドレス専属の電話番号または携帯電話およびその識別番号を前記電子メールソフトウェア８０中「国番号＋地域番号＋現地電話番号＋識別番号」の入力フィールド８１内にキー入力した後、前記検索プログラム９０を起動し、有線伝送（例えば：市内電話、有線テレビＣＡＴＶ線等）または無線伝送の方式（例えば：携帯電話、衛星電話等）を利用し、インターネットＩ中のデータベースサーバー４０ｃおよびその他のデータベースサーバー４０ｃ’に接続し、前記データベースサーバー４０ｃおよび４０ｃ’内の特定電子メールアドレスおよびその対応するメールサーバーＩＰアドレスを照合し、前記電子メールソフトウェア８０中の入力フィールド８１内の「電話番号配列および識別番号」とデータベース４０ｃおよび４０ｃ’に登録された「電話番号配列および識別番号」の両者が適合する場合、前記両者が適合する「電話番号配列および識別番号」に対応する特定電子メールをインターネットＩを介して前記発信者Ｓ所属のＳＭＴＰメールサーバー６０のＩＰアドレス内に自動伝送し、ＳＭＴＰメールサーバー６０により発信者Ｓが書いた電子メールをインターネットＩを通して受信者ＲのＰＯＰメールサーバー７０のＩＰアドレス内に自動伝送し、受信者ＲはインターネットＩを経由し前記ＰＯＰメールサーバー７０中に達し、前記発信者Ｓが発送する電子メールの内容を取得し観覧することができる；反対に、前記検索プログラム９０が実行された後、適合する「電話番号配列および識別番号」を照合して得られない場合、「正確な電話番号を再度入力してください」の命令を電子メールソフトウェア８０中に伝送し、前記発信者Ｓに知らせ、前記メールソフトウェア８０中の入力フィールド８１内にもう１度正確な「電話番号および識別番号」をキー入力されて初めて、再度検索の照合を行うことを可能とする。
【００４８】
前記第３、第４、第５および第６実施例中の「識別番号」は、コンピューター中に入力できる文字、数字、符号またはその２つ以上の組み合わせから構成され、その送受信者自ら任意に指定し随時自動変更し設定することができ、簡単に記憶できる電話番号により長くて記憶し難い電子メールアドレスに置き換えることができる長所を有する以外に、関係のない電子メールの不当な攻撃を阻止し、パンクまたは麻痺がメールボックスに発生することを防ぎ、「識別番号」を知らない発信者が、電話番号を知っているだけでは受信者の電子メールアドレスに電子メールを発信することができないようにするものであるので、本発明は、本当に電子メールのやりとりをする必要が有る者が、相互に電子メールの送受信をできるようにし、万一識別番号が解読されても、即座に変更することができ、確実に電子メールの好ましい送受信方法となるものである。
【００４９】
図９は、本発明の第７実施例を示すものであり：特定ウェブサイト１０ｃ、検索インターフェイスダイナミックウェブページ２０ｃ、検索プログラム３０ｃおよびデータベース４０ｄを含み；そのうち、前記特定ウェブサイト１０ｃの特定ウェブサイトサーバー１１ｃはワールドワイドウェブＷに接続し、その各種インターネットに入出力されるデータは、皆ワールドワイドウェブＷの各種通信規定に適合する；前記検索インターフェイスダイナミックウェブページ２０ｃは、前記特定ウェブサイト１０ｃのホームページ（Home page）またはホームページ下のウェブページ（Web page）であり、ワールドワイドウェブＷに応用可能なソフトウェア言語により書かれ、そのページ中には、「国番号＋地域番号＋現地電話番号＋識別番号」数列パターンを順に入力させる入力フィールド２１ｃが設けられる；前記検索プログラム３０ｃはワールドワイドウェブＷに応用可能なソフトウェア言語により書かれ、発話者Ｃが「国番号＋地域番号＋現地電話番号＋識別番号」数列パターンを前記特定ウェブサイト１０ｃの検索インターフェイスダイナミックウェブページ２０ｃ中の入力フィールド２１ｃにキー入力した後、起動実行される；前記データベース４０ｄは、前記特定ウェブサイト１０ｃの特定ウェブサイトサーバー１１ｃ内に設置されるとともに、「各特定ボイスコミュニケーションホストコンピューターＩＰアドレス」、および前記「各特定ボイスコミュニケーションホストコンピューターＩＰアドレス」に対応する電話番号および識別番号のデータを内部に登録保存する。
【００５０】
図９、図２および図３に示されるように、発話者Ｃが、有線伝送（例えば：市内電話線路、有線テレビＣＡＴＶ線路等）または無線伝送の方式（例えば：携帯電話、衛星電話等）を利用し、ワールドワイドウェブ（World Wide Web）Ｗに接続し特定ウェブサイト１０ｃに進入した後、前記特定ウェブサイト１０ｃの検索インターフェイスダイナミックウェブページ２０ｃ内に進入し、それぞれ前記受話者Ｔまたは会社特定ボイスコミュニケーションホストコンピューターアドレス専属の電話番号または携帯電話番号およびその識別番号を前記検索インターフェイスダイナミックウェブページ２０ｃ中「国番号＋地域番号＋現地電話番号＋識別番号」特定配列パターンに基づく入力フィールド２１ｃ内にキー入力した後｛例： 886（台湾）＋7（高雄）＋1234567（現地電話番号）＋johnLins007（識別番号）、または、886＋1234567890（個人携帯電話番号）＋johnLins007（識別番号）｝、前記検索インターフェイスダイナミックウェブページのプログラム２００，２０１，２０２，２０３，２０４，２０５（図２参照）が、それぞれ順番にその各自のプログラム命令を実行完成し、検索プログラム３０ｃを起動し、前記検索プログラム３０ｃの各プログラム３００，３０１，３０２，３０３，３０４，３０５（図３参照）を経由し、それぞれ順番にその各自のプログラム命令を実行した後、データベース４０ｄ内の特定ボイスコミュニケーションホストコンピューターＩＰアドレスの照合を開始し、照合して得られる検索インターフェイスダイナミックウェブページ２０ｃの「電話番号配列および識別番号」とデータベース４０ｄに登録された「電話番号配列および識別番号」の両者が適合する場合、前記両者が適合する「電話番号配列および識別番号」に対応する特定ボイスコミュニケーションホストコンピューターＩＰをインターネットＩを介して受話者Ｔ所属のホストコンピューターのＩＰアドレス内に自動伝送し、受話者Ｔがそのボイスコミュニケーションソフトウェアから発話者Ｃの「ボイスメッセージ要求（Voice Message Request）」を受け取ることができるようにし、発話者Ｃとインターネットを利用した低価格通信費な相互のボイスコミュニケーションを達成する；反対に、前記検索プログラム３０ｃの各プログラム３００，３０１，３０２，３０３，３０４，３０５が、実行された後、適合する電話番号配列および識別番号を照合して得られない場合、前記プログラム３０５が「正確な電話番号を再度入力してください」の命令を検索インターフェイスダイナミックウェブページ２０ｃ上に伝送し、前記発信者Ｓに知らせ、前記検索インターフェイスダイナミックウェブページ２０ｃ中の入力フィールド２１ｃ内にもう１度正確な電話番号および識別番号をキー入力されて初めて、再度検索の照合を行うことを可能とする。
【００５１】
図１０は、本発明の第８実施例を示す図であり、そのうち、前記データベース４０ｄは、前記特定ウェブサイト１０ｃの特定ウェブサイトサーバー１１ｃ内に設置される以外に、さらに、数個のワールドワイドウェブＷ中に接続するいずれか１つのウェブサイト１０ｃ’のウェブサイトサーバー１１ｃ’内に設けられるデータベース４０ｄ’を含み、数個のデータベース４０ｃ’内には「各特定ボイスコミュニケーションホストコンピューターＩＰアドレス」、よび前記各特定ボイスコミュニケーションホストコンピューターＩＰアドレスに対応する電話番号および識別番号のデータも登録保存される；発話者Ｃは、それぞれ受信者Ｔまたは会社特定ボイスコミュニケーションホストコンピューターＩＰアドレス専属の電話番号または携帯電話番号およびその識別番号を前記検索インターフェイスダイナミックウェブページ２０ｃ中「国番号＋地域番号＋現地電話番号＋識別番号」特定配列パターンに基づく入力フィールド２１ｃ内にキー入力した後、前記検索プログラム３０ｃが起動され、同時に前記特定ウェブサイト１０ｃの特定ウェブサイトサーバー１１ｃ内のデータベース４０ｄおよびワールドワイドウェブＷに接続するいずれか１つのウェブサイト１０ｃ’のウェブサイトサーバー１１ｃ’内のデータベース４０ｄ’と照合し、検索インターフェイスダイナミックウェブページ２０ｃの「電話番号配列および識別番号」およびデータベース４０ｃの「電話番号配列および識別番号」両者が適合する時、前記両者が適合する「電話番号配列および識別番号」に対応する特定ボイスコミュニケーションホストコンピューターＩＰアドレスを有し、インターネットＩを介して、受話者Ｔが属するホストコンピューターのＩＰアドレスに自動接続させ、受話者Ｔがそのボイスコミュニケーションソフトウェアから発話者Ｃの「ボイスメッセージ要求（Voice Message Request）」を受け取ることができるようにし、発話者Ｃとインターネットを利用した低価格通信費な相互のボイスコミュニケーションを達成する；反対に、前記検索プログラム３０ｃの各プログラム３００，３０１，３０２，３０３，３０４，３０５が、実行された後、適合する電話番号配列および識別番号を照合して得られない場合、前記プログラム３０５が「正確な電話番号を再度入力してください」の命令を検索インターフェイスダイナミックウェブページ２０ｃ上に伝送し、前記発信者Ｓに知らせ、前記検索インターフェイスダイナミックウェブページ２０ｃ中の入力フィールド２１ｃ内にもう１度正確な電話番号および識別番号をキー入力されて初めて、再度検索の照合を行うことを可能とする。
【００５２】
図１１は、本発明の第９実施例を示す図であり、ボイスコミュニケーションソフトウェア１００、検索プログラム１０２およびデータベースサーバー４０ｅを含み；そのうち、前記ボイスコミュニケーションソフトウェア１００が、発話者ＣのコンピューターＰ内にインストールされ、「国番号＋地域番号＋現地電話番号＋識別番号」数列パターンを順に入力させる入力フィールド１０１が設けられる；前記検索プログラム１０２も発話者ＣのコンピューターＰ内にインストールされ、発話者Ｃが「国番号＋地域番号＋現地電話番号＋識別番号」数列パターンをボイスコミュニケーションソフトウェア１００中の入力フィールド１０１にキー入力した後、起動実行される；前記データベース４０ｅは、インターネットＩに接続され、その内部には「各特定ボイスコミュニケーションホストコンピューターＩＰアドレス」および前記「各特定ボイスコミュニケーションホストコンピューターＩＰアドレス」に対応する電話番号および識別番号データを登録保存する。
【００５３】
図１１に示されるように、発信者Ｃが受話者Ｔとオンラインリアルタイムコミュニケーションを行おうとする時、まずコンピューターＰ内でボイスコミュニケーションソフトウェア１００を起動し、受話者Ｔの個人または会社特定ボイスコミュニケーションホストコンピューターＩＰアドレス専属の電話番号または携帯電話およびその識別番号を前記ボイスコミュニケーションソフトウェア１００中「国番号＋地域番号＋現地電話番号＋識別番号」の入力フィールド１０１内にキー入力した後、前記検索プログラム１０２を起動し、有線伝送（例えば：市内電話、有線テレビＣＡＴＶ線等）または無線伝送の方式（例えば：携帯電話、衛星電話等）を利用し、インターネットＩ中のデータベースサーバー４０ｅに接続し、前記データベースサーバー４０ｅ内の「特定ボイスコミュニケーションホストコンピューターＩＰアドレス」を照合し、前記ボイスコミュニケーションソフトウェア１００中の入力フィールド１０１内の「電話番号配列および識別番号」とデータベース４０ｅに登録された「電話番号配列および識別番号」の両者が適合する場合、前記両者が適合する「電話番号配列および識別番号」に対応する特定ボイスコミュニケーションホストコンピューターＩＰアドレスを有し、インターネットＩを介して、前記受話者Ｔ所属のホストコンピューターＩＰアドレス内に自動接続し、受話者Ｔがそのボイスコミュニケーションソフトウェアから発話者Ｃの「ボイスメッセージ要求（Voice  Message  Request）」を受け取ることができるようにし、発話者Ｃとインターネットを利用した低価格通信費な相互のボイスコミュニケーションを達成する；反対に、前記検索プログラム１０２が、実行された後、適合する電話番号配列および識別番号を照合して得られない場合、「正確な電話番号を再度入力してください」の命令をボイスコミュニケーションソフトウェア１００中に伝送し、前記発話者Ｃに知らせ、前記ボイスコミュニケーションソフトウェア１００中の入力フィールド１０１内にもう１度正確な電話番号および識別番号をキー入力されて初めて、再度検索の照合を行うことを可能とする。
【００５４】
図１２は、本発明の第１０実施例を示す図であり、そのうち、前記データベース４０ｅは、さらに、数個のインターネットＩ中に接続できるその他のサーバーのデータベース４０ｅ’を含み、前記数個のデータベース４０ｅ’内には、「各特定ボイスコミュニケーションホストコンピューターＩＰアドレス」および前記各特定ボイスコミュニケーションホストコンピューターＩＰアドレスに対応する電話番号および識別番号のデータも登録保存される；発話者Ｃが受話者Ｔとオンラインリアルタイムコミュニケーションを行おうとする時、まずコンピューターＰ内でボイスコミュニケーションソフトウェア１００を起動し、受話者Ｔの個人または会社特定ボイスコミュニケーションホストコンピューターＩＰアドレス専属の電話番号または携帯電話およびその識別番号を前記ボイスコミュニケーションソフトウェア１００中「国番号＋地域番号＋現地電話番号＋識別番号」の入力フィールド１０１内にキー入力した後、前記検索プログラム１０２を起動し、有線伝送（例えば：市内電話、有線テレビＣＡＴＶ線等）または無線伝送の方式（例えば：携帯電話、衛星電話等）を利用し、インターネットＩ中のデータベースサーバー４０ｅおよびその他のデータベースサーバー４０e’に接続し、前記データベースサーバー４０ｅおよびその他のデータベースサーバー４０e’内の「特定ボイスコミュニケーションホストコンピューターＩＰアドレス」を照合し、前記ボイスコミュニケーションソフトウェア１００中の入力フィールド１０１内の「電話番号配列および識別番号」とデータベース４０ｅおよびその他のデータベースサーバー４０e’に登録された「電話番号配列および識別番号」の両者が適合する場合、前記両者が適合する「電話番号配列および識別番号」に対応する特定ボイスコミュニケーションホストコンピューターＩＰアドレスを有し、インターネットＩを介して、前記受話者Ｔ所属のホストコンピューターＩＰアドレス内に自動接続し、受話者Ｔがそのボイスコミュニケーションソフトウェアから発話者Ｃの「ボイスメッセージ要求（Voice Message Request）」を受け取ることができるようにし、発話者Ｃとインターネットを利用した低価格通信費な相互のボイスコミュニケーションを達成する；反対に、前記検索プログラム１０２が、実行された後、適合する電話番号配列および識別番号を照合して得られない場合、「正確な電話番号を再度入力してください」の命令をボイスコミュニケーションソフトウェア１００中に伝送し、前記発話者Ｃに知らせ、前記ボイスコミュニケーションソフトウェア１００中の入力フィールド１０１内にもう１度正確な電話番号および識別番号をキー入力されて初めて、再度検索の照合を行うことを可能とする。
また、それぞれ受信者Ｔまたは会社特定ボイスコミュニケーションホストコンピューターＩＰアドレス専属の電話番号または携帯電話番号およびその識別番号を前記検索インターフェイスダイナミックウェブページ２０ｃ中「国番号＋地域番号＋現地電話番号＋識別番号」特定配列パターンに基づく入力フィールド２１ｃ内にキー入力した後、前記検索プログラム３０ｃが起動され、同時に前記特定ウェブサイト１０ｃの特定ウェブサイトサーバー１１ｃ内のデータベース４０ｅおよびワールドワイドウェブＷに接続するいずれか１つのウェブサイト１０ｃ’のウェブサイトサーバー１１ｃ’内のデータベース４０ｅ’と照合し、検索インターフェイスダイナミックウェブページ２０ｃの「電話番号配列および識別番号」およびデータベース４０ｃの「電話番号配列および識別番号」両者が適合する時、前記両者が適合する「電話番号配列および識別番号」に対応する特定ボイスコミュニケーションホストコンピューターＩＰアドレスを有し、インターネットＩを介して、受話者Ｔが属するホストコンピューターのＩＰアドレスに自動接続させ、受話者Ｔがそのボイスコミュニケーションソフトウェアから発話者Ｃの「ボイスメッセージ要求（Voice Message Request）」を受け取ることができるようにし、発話者Ｃとインターネットを利用した低価格通信費な相互のボイスコミュニケーションを達成する；反対に、前記検索プログラム３０ｃの各プログラム３００，３０１，３０２，３０３，３０４，３０５が、実行された後、適合する電話番号配列および識別番号を照合して得られない場合、前記プログラム３０５が「正確な電話番号を再度入力してください」の命令を検索インターフェイスダイナミックウェブページ２０ｃ上に伝送し、前記発信者Ｓに知らせ、前記検索インターフェイスダイナミックウェブページ２０ｃ中の入力フィールド２１ｃ内にもう１度正確な電話番号および識別番号をキー入力されて初めて、再度検索の照合を行うことを可能とする。
【００５５】
前記第７、第８、第９および第１０実施例中の「識別番号」は、コンピューター中に入力できる文字、数字、符号またはその2つ以上の組み合わせから構成され、その送受話者自ら任意に指定し随時自動変更し設定することができ、電話番号により特定ボイスコミュニケーションホストコンピューターＩＰアドレスに置き換えることができる長所を有する以外に、関係のないまたは不明なオンラインボイスコミュニケーション者の不当なわずらわしい呼び出しを阻止し、「識別番号」を知らない発信者が、電話番号を知っているだけでは受信者へオンラインでコールすることができないようにするものであるので、本発明は、本当に相互にオンラインボイスコミュニケーションをする必要が有る者が、コミュニケーションを達成できるようにし、万一識別番号が解読されても、即座に変更することができ、確実にインターネット電話のいたずら電話をされる問題を解決する方法となるものである。
【図面の簡単な説明】
【００５６】
【図１】本発明の第１実施例のフロー説明図である。
【図２】本発明中の検索インターフェイスダイナミックウェブページのＰＨＰソフトウェア言語により書かれた検索プログラムの実施例である。
【図３】本発明中の検索プログラムのＰＨＰソフトウェア言語により書かれた検索プログラムの実施例である。
【図４】本発明の第２実施例のフロー説明図である。
【図５】本発明の第３実施例のフロー説明図である。
【図６】本発明の第４実施例のフロー説明図である。
【図７】本発明の第５実施例のフロー説明図である。
【図８】本発明の第６実施例のフロー説明図である。
【図９】本発明の第７実施例のフロー説明図である。
【図１０】本発明の第８実施例のフロー説明図である。
【図１１】本発明の第９実施例のフロー説明図である。
【図１２】本発明の第１０実施例のフロー説明図である。
【符号の説明】
【００５７】
１０ａ，１０ｂ，１０ｃ 特定ウェブサイト
１０ａ’，１０ｂ’，１０ｃ’ ウェブサイト
１１ａ，１１ｂ，１１ｃ 特定ウェブサイトサーバー
１１ａ’，１１ｂ’，１１ｃ’ ウェブサイトサーバー
２０ａ，２０ｂ，２０ｃ 検索インターフェイスダイナミックウェブページ
２１ａ，２１ｂ，２１ｃ，８１，１０１ 入力フィールド
３０ａ，３０ｂ，３０ｃ，９０，１０２ 検索プログラム
４０ａ，４０ａ’，４０ｂ，４０ｂ’，４０ｄ，４０ｄ’ データベース
４０ｃ，４０ｃ’，４０ｅ，４０ｅ’ データベースサーバー
５０ 特定ドメインネームウェブサイト
６０ ＳＭＴＰメールサーバー
７０ ＰＯＰメールサーバー
８０ 電子メールソフトウェア
１００ ボイスコミュニケーションソフトウェア
２００,２０１，２０２，２０３，２０４，２０５ 検索インターフェイスダイナミックウェブページプログラム
３００,３０１，３０２，３０３，３０４，３０５ プログラム
Ｃ 発話者
Ｉ インターネット
Ｐ コンピューター
Ｒ 受信者
Ｓ 発信者
Ｔ 受話者
Ｕ インターネットユーザー
Ｗ ワールドワイドウェブ
【図１】
2007535880.tif 000003
【図２】
2007535880.tif 000004
【図３】
2007535880.tif 000005
【図４】
2007535880.tif 000006
【図５】
2007535880.tif 000007
【図６】
2007535880.tif 000008
【図７】
2007535880.tif 000009
【図８】
2007535880.tif 000010
【図９】
2007535880.tif 000011
【図１０】
2007535880.tif 000012
【図１１】
2007535880.tif 000013
【図１２】
2007535880.tif 000014
【国際調査報告】
2007535880.tif 000015